(57)【要約】      （修正有）【課題】経時的変化の少ないクリック停止機能を持ち、同時にフリクショントルクをも発揮できる、軽量で構造簡単で組み立ても簡単である安価な眼鏡のテンプル用ヒンジを提供する。【解決手段】内底部７ｂに複数の凹部を所定間隔で設けたケース本体７ａとこのケース本体７ａの中心部軸方向より立設した軸部７ｄとを有する下部ケース部材７と、上部に貫通孔８ａを有しこの貫通孔８ａに軸部７ｄを挿通係止させて回転可能に取り付けられた上部ケース部材８と、この上部ケース部材８内に係止され軸部７ｄをその中心部軸方向に設けた挿通孔９ａに挿通されて成るフォロワー９と、このフォロワー９に係止されて下部ケース部材７の内底部７ｂに当接される複数のボール１０と、フォロワー９と上部ケース部材８との間に軸部７ｄを挿通させて弾設させた弾性手段１１とで構成することで解決した。【選択図】図３
2013205657.tif 000002
【特許請求の範囲】
【請求項１】
眼鏡本体に対してテンプルを開閉可能に取り付けるヒンジであって、内底部に複数の凹部を所定間隔で設けたケース本体とこのケース本体の中心部軸方向より立設した軸部とを有する下部ケース部材と、上部に貫通孔を有しこの貫通孔に前記軸部を挿通係止させて回転可能に取り付けられた上部ケース部材と、この上部ケース部材内に係止され前記軸部をその中心部軸方向に設けた挿通孔に挿通さて成るフォロワーと、このフォロワーに係止されて前記下部ケース部材の内底部に当接される複数のボールと、前記フォロワーと前記上部ケース部材との間に前記軸部を挿通させて弾設させた弾性手段とで構成したことを特徴とする、眼鏡のテンプル用ヒンジ。
【請求項２】
前記上部ケース部材を前記軸部へ係止させるに当たり、ワッシャーを介することを特徴とする、請求項１に記載の眼鏡のテンプル用ヒンジ。
【請求項３】
前記軸部の軸方向に貫通孔を設けたことを特徴とする、請求項１に記載の眼鏡のテンプル用ヒンジ。
【請求項４】
前記下部ケース部材と前記上部ケース部材に、凹部、或は凸部からなる係合手段を設けたことを特徴とする、請求項１に記載の眼鏡のテンプル用ヒンジ。
【請求項５】
請求項１〜４に各記載のテンプル用ヒンジの、前記下部ケース部材を眼鏡本体とテンプルにそれぞれ設けた取付凹部の一方に挿入固定させ、他方の取付凹部に前記上部ケース部材を挿入固定させることにより、前記テンプルを前記眼鏡本体に対して開閉可能に取り付けたことを特徴とする、眼鏡。
【発明の詳細な説明】
【技術分野】
【０００１】
本発明は、とくに眼鏡本体に対してテンプルを開閉可能に取り付ける際に用いて好適な眼鏡のテンプル用ヒンジ並びにこのテンプル用ヒンジを用いた眼鏡に関する。
【背景技術】
【０００２】
従来、この眼鏡のテンプル用ヒンジ並びにこのテンプル用ヒンジを用いた眼鏡には様々な構成のものが公知であるが、近年、テンプルの開閉操作時にフリクション機能を発揮してフリーストップにテンプルを眼鏡本体に対し開閉できた上で、全開位置或は全閉位置でテンプルを眼鏡本体に対してクリック停止できるように成した構成簡単でしかも軽量のヒンジが求められている。その中で、テンプルを所定の開閉角度においてクリック停止させる機能を持つものが、下記特許文献１に示したように公知である。
【先行技術文献】
【特許文献】
【０００３】
【特許文献１】特表２００１−５１８２０５号公報
【発明の概要】
【発明が解決しようとする課題】
【０００４】
上記特許文献１に記載されている眼鏡のテンプル用ヒンジ並びにこのテンプル用ヒンジを用いた眼鏡は、眼鏡本体のメガネレンズを取り付ける枠部材に二股状に形成させた一対の円形突出部から成るショルダー部を設け、このショルダー部に開閉可能に連結されるテンプルの取付部に凹部を設けて、この凹部内へ一対のアーム部を有する板状のスプリングプレートを収容し、その上面を貫通孔を有する保護キャップで覆うと共に、前記円形突出部上側のものに設けた変形取付孔へ下方にカム部を設けたブッシュ部材を挿入係合させ、段付きピンをショルダー部の下側に設けた貫通孔、凹部に設けた貫通孔、及び保護キャップに設けた貫通孔を貫通させてある。
【０００５】
この従来公知のテンプル用ヒンジは、構造が複雑で、組み立てに時間がかかるうえに、クリック停止機能の経時的変化が大きいという問題があった。
【０００６】
そこで、本発明の目的は、経時的変化の少ないクリック停止機能を持ち、同時にフリクショントルクをも発揮できる、軽量で構造簡単で組み立ても簡単である安価な眼鏡のテンプル用ヒンジを提供せんとするにある。
【課題を解決するための手段】
【０００７】
上記した目的を達成するために、本発明は、眼鏡本体に対してテンプルを開閉可能に取り付けるヒンジであって、内底部に複数の凹部を所定間隔で設けたケース本体とこのケース本体の中心部軸方向より立設した軸部とを有する下部ケース部材と、上部に貫通孔を有しこの貫通孔に前記軸部を挿通係止させて回転可能に取り付けられた上部ケース部材と、この上部ケース部材内に係止され前記軸部をその中心部軸方向に設けた挿通孔に挿通さて成るフォロワーと、このフォロワーに係止されて前記下部ケース部材の内底部に当接される複数のボールと、前記フォロワーと前記上部ケース部材との間に前記軸部を挿通させて弾設させた弾性手段とで構成したことを特徴とする。
【０００８】
その際に、本発明は、上部ケース部材を軸部へ係止させるに当たり、ワッシャーを介することを特徴とする。
【０００９】
さらに、本発明は、軸部の軸方向に貫通孔を設けることができる。
【００１０】
さらに、本発明は、下部ケース部材と上部ケース部材に、凹部、或は凸部からなる係合手段を設けることが好ましい。
【００１１】
そして、本発明は、眼鏡本体とテンプルにそれぞれ取付凹部を設け、この取付凹部のいずれか一方に下部ケース部材を、他方の取付凹部に上部ケース部材を挿入固定することを特徴とする。
【発明の効果】
【００１２】
本発明は以上のように構成したので、部品点数の少ない簡単な構成で、眼鏡本体に対してテンプルを開閉する際に、フリクショントルクを創出してしっくりとした操作感覚で開閉操作を行うことができ、開成状態や閉成状態でクリック感を眼鏡の使用者に与えることができるという効果を奏し得る。
【図面の簡単な説明】
【００１３】
【図１】本発明に係るテンプル用ヒンジを用いた眼鏡の斜視図である。
【図２】本発明に係るテンプル用ヒンジの斜視図である。
【図３】本発明に係るテンプル用ヒンジを一方の側から見た分解斜視図である。
【図４】本発明に係るテンプル用ヒンジを他方の側から見た分解斜視図である。
【図５】本発明に係るテンプル用ヒンジの下部ケース部材の平面図である。
【図６】本発明に係るテンプル用ヒンジを眼鏡へ取り付けてみた縦断面図である。
【発明を実施するための形態】
【００１４】
以下に本発明に係る眼鏡のテンプル用ヒンジ並びにこのテンプル用ヒンジを用いた眼鏡を添付図面に基づいて説明する。
【００１５】
図１は本発明に係るテンプル用ヒンジ１、１を用いた眼鏡２を示し、この眼鏡２は一対の眼鏡レンズ３、３と、この各眼鏡レンズ３、３を取り付ける枠体４からなる眼鏡本体２ａと、この眼鏡本体２ａの枠体４の両端部から突設させた一対のショルダー部５、５と、同じく一対のテンプル６、６からなり、各ショルダー部５、５とテンプル６、６を連結する部分に本発明に係るテンプル用ヒンジ１、１が取り付けられている。尚、本発明に係るテンプル用ヒンジ１、１は、同じ構成であるので、以下の説明では、一方のテンプル用ヒンジのみを説明する。
【００１６】
図２乃至図５は、本発明に係るテンプル用ヒンジ１の構成を示す。図面によれば本発明に係るテンプル用ヒンジ１は、内底部７ｂに複数の凹部７ｃを所定間隔で設けたケース本体７ａと、このケース本体７ａの中心部軸方向より上方へ立設した軸部７ｄとを有する下部ケース部材７と、上部に貫通孔８ａを有し、この貫通孔８ａに前記軸部７ｄを挿通させて回転可能に取り付けられた上部ケース部材８と、この上部ケース部材８に係止され、前記軸部７ｄをその中心部軸方向に設けた挿通孔９ａに挿通させて成るフォロワー９と、このフォロワー９の平面部分に放射状に設けた複数の係止凹部（実施例では４個）９ｂに係止されて前記下部ケース部材７の内底部７ｂに当接される複数のボール１０と、前記フォロワー９と前記上部ケース部材８との間に前記軸部７ｄを挿通させて弾設させた例えば複数の皿バネ１１ａ（図面では３枚）から成る弾性手段１１と、軸部７ｄが上部ケース部材８から突出した部分に取り付けられるワッシャー１２とで構成されている。尚、弾性手段１１を構成する皿バネ１１ａは、これをスプリングワッシャー、或はコンプレッションスプリングとしても良い。さらに、皿バネ１１ａの枚数と組合せは実施例のものに限定されない。
【００１７】
下部ケース部材７のケース本体７ａは平たい円筒形状を呈し、その外周には下部ケース部材７をショルダー部５やテンプル６にそれぞれ設けた取付凹部５ａ、６ａのいずれか一方へ取り付けた際に回転防止用に用いられる複数の係合手段７eが設けられると共に、軸部７ｄにはその軸方向を貫通して貫通孔７ｆが設けられている。尚、軸部７ｄの貫通孔７ｆを設けると、下部ケース部材７の軽量化に寄与するものである。
【００１８】
上部ケース部材８は、平たい円筒形状を呈しており、内周部軸方向にフォロワー９に設けた複数の突起部９ｃと係合する複数の係合溝８ｂが設けられると共に、その外周には上部ケース部材８をショルダー部５やテンプル６にそれぞれ設けた取付凹部５ａ、６ａのいずれか他方へ取り付けた際に回転防止用に用いられる複数の係合手段８ｃと係止用突起８ｅが設けられ、さらに、その上端部側にはワッシャー１２を収容する収容凹部８ｄが設けられている。
【００１９】
フォロワー９の各係止凹部９ｂの間隔は、実施例のもので９０度間隔であり、その外周からは、各係止凹部９ｂの間に位置して同じく９０度間隔で上方へ向けて複数（実施例では４個）の突起部９ｃが突設されている。
【００２０】
本発明に係るテンプル用ヒンジ１は、その組み立て時には、各ボール１０を下部ケース部材７内へフォロワー９の係止凹部９ｂ内へ収容させた状態で収容させ、フォロワー９の各突起部９ｃを上部ケース部材８の各係合溝８ｂへ嵌入させて係合させると共に、軸部７ｄをその貫通孔１２ａへ通して収容凹部８ｄ側に突出した部分にワッシャー１２を嵌めて、軸部７ｄの端部を所定のかしめトルクでかしめることにより、上部ケース部材８が下部ケース部材７に対して抜け止め規制され、かつ、ボール１０が弾性手段１１の弾力により、下部ケース部材７の内底部７ｂに圧接することになる。ちなみに本願発明に係るテンプル用ヒンジ１の大きさは、その直径が６．２ｍｍ、高さが４．５ｍｍ程度の小型のものである。
【００２１】
図６は、本発明に係るテンプル用ヒンジ１を眼鏡２の眼鏡本体２ａに設けたショルダー部５とテンプル６の間に取り付けて見た、拡大縦断面図であり、図面によれば、ショルダー部５に設けた取付凹部５ａに下部ケース部材７を圧入して固定させ、次いで、テンプル６のほうに設けた取付凹部６ａに上部ケース部材８を圧入して固定させるものであり、その際に下部ケース部材７と上部ケース部材８の各外周に設けた係合手段７ｅ、８ｃが各取付凹部５ａ、６ａの内壁と係合してテンプル６の眼鏡本体２ａに対する開閉操作時の下部ケース部材７と上部ケース部材８が眼鏡本体２ａやテンプル６に対して回転してしまうことを防止している。
【００２２】
尚、各係合手段７ｅ、８ｃは、これを凸部形状としてもよいし、下部ケース部材７と上部ケース部材８は上下逆に取り付けてもよい、つまり、下部ケース部材７をテンプル６側に、上部ケース部材８をショルダー部５側に取り付けてもよい、また、各取付凹部５ａ、６ａは、その一方或は双方を貫通孔としてもよい。
【００２３】
したがって、テンプル６を眼鏡本体２ａに対して閉じた状態においては、各ボール１０が下部ケース部材７の内底部７ｂに設けた凹部７ｃ内に落ち込んでいることから、この閉成状態でテンプル６は眼鏡本体２ａに対して安定停止状態を保っている。眼鏡２を使用すべく、テンプル６を眼鏡本体２ａに対して開くと、当該テンプル６と共に上部ケース部材８が軸部７ｄを支点に回転し、さらに、フォロワー９も回転するので、ボール１０は凹部７ｃを脱して下部ケース部材７の内底部７ｂに圧接した状態で転動乃至摺動する。従って、この時にフリクショントルクが発生する。
【００２４】
テンプル６をさらに開いて行くと、回転するフォロワー９によってボール１０がさらに転動乃至摺動して、テンプル６が眼鏡本体２ａに対して約９０度の使用角度に達すると、ボール１０が凹部７ｃに落ち込んで、クリック停止するものである。尚、テンプル６の最大開成角度は、図１に示したように、当該テンプル６とショルダー部５の間に設けたストッパー手段１３で規制されるが、下部ケース部材７に対する上部ケース部材８の回転角度を規制するようにしてもよい。
【産業上の利用可能性】
【００２５】
本発明は以上のように構成したので、組み立てやすい簡単な構成で、しかも、眼鏡本体２ａのショルダー部５とテンプル６に組み付けやすく、テンプル６の眼鏡本体２ａに対する開閉操作時にフリクショントルクを創出させてしっくりとした操作感覚を使用者に与えることができ、さらにテンプル６の開閉操作時にクリック停止間を使用者に与えることができることから、眼鏡のテンプル用ヒンジとして好適に用いられるものである。
【符号の説明】
【００２６】
１  テンプル用ヒンジ
２  眼鏡
２ａ  眼鏡本体
５ａ  取付凹部
６  テンプル
６ａ  取付凹部
７  下部ケース部材
７ａ  ケース本体
７ｂ  内底部
７ｃ  凹部
７ｄ  軸部
７e  係合手段
７ｆ  貫通孔
８  上部ケース部材
８ａ  貫通孔
８ｃ  係合手段
９  フォロワー
９ａ  挿通孔
１０  ボール
１１  弾性手段
１２  ワッシャー
１２ａ  貫通孔
【図１】
2013205657.tif 000003
【図２】
2013205657.tif 000004
【図３】
2013205657.tif 000005
【図４】
2013205657.tif 000006
【図５】
2013205657.tif 000007
【図６】
2013205657.tif 000008